(57)【要約】      （修正有）【課題】道路造成工事等に伴う切土急傾斜法面への植生基材の吹付け及び厚層客土吹付工法において、従来困難であった吹付け工と同時に挿し木植栽を可能としたポットスペーサーによる緑化工法並びに改良植生基材との組み合わせによるｏｐｓ緑化工法を提供する。【解決手段】急傾斜法面の植生基材の吹付け及び厚層客土吹付工法において、法面に張設したラス網に装着するスペーサーを、植物根の生長を促す良質堆肥に粘土質系硬質土壌５〜１８容量％及び植物性粘性助剤として小麦粉又は澱粉１２〜３８容量％添加しこれを成形して製造した挿し木植栽機能を付与する有機質ポットスペーサー（ｏｐｓ）及び傾斜面における緑化植物体の旺盛な生長を促すミネラル含有するきのこ菌床を堆肥化し，更に炭化してなる該木炭０．３〜２０容量％を混合した改良稙生基材を併用することを特徴とする環境保全型の法面緑化工法である。【選択図】  図５
2004263537.tif 000002
【特許請求の範囲】
【請求項１】
有機性廃棄物を堆肥化して生成した良質堆肥に粘性助材として澱粉、小麦粉、モンモリロナイト，ベントナイトなどを添加し成形して得た有機質ポットスペーサー（ｏｐｓ）に、更に植生基盤材としてきのこ菌床を堆肥化しこれを炭化したミネラル入り特製木炭を添加してなる改良植生基材、この二つの組み合わせにより構成される急傾斜法面用ｏｐｓ緑化工法。
【請求項２】
特に挿し木植栽又は木本類種子の混入する山林土壌、腐葉土を充填可能とする植栽機能を付与した有機性ポットスペーサーを特徴とする請求項１の急傾斜法面用ｏｐｓ緑化工法。
【請求項３】
きのこ栽培から排出される菌床を堆肥化し、更に堆肥を８００度Ｃ以上の高い炭化温度で炭化したミネラル成分の豊富な木炭を０・３〜２０容量％混合した請求項１又は２の急傾斜法面用ｏｐｓ緑化工法。
【請求項４】
さらに、植物根の生長を促す良質堆肥、土壌微生物特にＶＡ菌根菌、ＥＭ菌を添加した請求項１から３のいずれかに記載の急傾斜法面用ｏｐｓ緑化工法。
【発明の詳細な説明】
【０００１】
【発明の属する技術分野】本発明は、特に急傾斜法面ラス網スペーサー及び法面植生基材並びにラス金網張設法面の緑化工法に関し、環境保全の観点より、有機性ポットスペーサーと改良植生基材の発明。これを組み合わせて成立する環境保全型ｏｐｓ緑化工法を提案する。
【０００２】
【従来の技術】急傾斜法面にラス網を張設する際に用いられるスペーサーは、従来からプラスチック製が主流を占めている。また、吹付け後の法面土壌が基盤土壌と馴染み安定するまで短期間で速やかに分解して土に還ることが要求されるが、一部にみられる生分解性プラスチックスペーサーの土中での分解速度は、緩慢で長い年月を要する。
【０００３】また、スペーサーは基材を吹付した後は、いわゆる用済みとなる。プラスチック製は長期間土に馴染まずに土中で異物となって残り、多くの弊害をもたらすという問題があった。
【０００４】さらに、急傾斜法面での困難な作業現場において、厚層客土の吹付工及び草本類種子を混合した植生基材の吹付工法が限界としている。斜面基盤の保護効果の高い低木木本類の植栽、さらに望ましくは吹付けと挿し木植栽を同時に施工する併用工法はこれまで極めて困難であった。
【０００５】また、植生基材が平準化され施工地の地形、地質、土壌、気象等の立地条件を充分に把握することなく施工することがあって、これが施工地の諸条件に不適合な基材使用が植生の生育に弊害を発生させ、優れた緑化が造成されず法面の表土が流失することがあった。
【０００６】
【発明が解決しようとする課題】本発明が解決しようとする課題は以下のとおりである。
▲１▼  ラス金網に装着してから基材吹付け完了までの極く短期間の使用で用済みとなるスペーサーは、環境に負荷のない素材であること。
▲２▼  吹付け後土中に埋没したスペーサーは、速やかに分解して自然の土に還ること。
▲３▼  スペーサーの製造が簡単で低コストであること。
▲４▼  急斜面の劣悪な作業条件下で、従来製品に劣らずラス金網に簡単に片手でワンタッチ装着できること。
▲５▼  スペーサーの目的である間隔保持以外にいくつかの機能を付与していること。
▲６▼  環境に配慮したリサイクル製品であること。
▲７▼  植生基材は現地法面基盤土壌と馴染み、植物の生育に適したより優れた基材であること。
▲８▼  作業性、価格、環境への負荷、法面の保護、緑化植物の生育、法面基盤土壌の改良、緑化景観等において従来法より優れていること。
【０００７】本発明の目的は、このような多くの問題点を解決するため、スペーサー及び植生基材の発明にある。スペーサーは，徹底した環境保全に配慮した製品素材と多機能性の保有、施工期間短縮、工数低減の特徴を有するものであること。また、植生基材は、施工現地の基盤土壌に馴染む改良基材の開発にある。よって、有機質の乏しい切土法面の緑化再生を迅速かつ確実に行なう。本発明の有機質ポットスペーサーと堆肥を炭化して生成した特製木炭を活用して製造した改良植生基材との併用によるｏｐｓ緑化工法を提供する。
【０００８】
【課題を解決するための手段】本発明は、有機質ポットスペーサーを用いて、困難な法面のラス金網張設場所での挿し木緑化植栽法を実現した工法を基本にしている。加えて発明者の開発した改良植生基材を併用して成立するｏｐｓ法面緑化工法である。前述の技術的課題を解決するために以下のように構成されている。すなわち、急傾斜法面に張設するラス金網に装着するスペーサーの素材は、従来のプラスチック素材を一切回避し、自然環境に全く負荷のないむしろ有益な有機質素材，具体的には良質堆肥から製造することを最大の特徴とする。堆肥を素材とするスペーサーは多くの機能性を保有する。及び堆肥を炭化して得られた木炭を改良植生基材の素材としたことから、急斜面の法面の挿し木緑化を可能にし、ｏｐｓ緑化工法を得ることができる。
【０００９】
【実施例】以下、本発明の有機質ポットスペーサーを用い、改良植生基材と併用して得られるｏｐｓ緑化工法の実施例について、図面に基いて詳細に説明する。
【００１０】図１は、ポットスペーサーの右側面図、図２は、その左側面図。図３は、平面図、図４は底面図、図５はラス金網に装着した状態を示している。
【００１１】有機質ポットスペーサーは、本発明者によって開発された良質堆肥製製品である。すなわち、畜産排泄物、農林水産物加工残さ、生ごみなどを循環再利用してこれらの有機性廃棄物を高度な堆肥化技術によって良質堆肥を生産し、該堆肥を素材原料として製造する。堆肥を植物の粘着成分により成形固化し製品化する製法は本発明者によるもので、特開２０００−１１９０８６号特開公報で公知の通りである。すなわち、該品の粘着剤として堆肥容量比で小麦粉，澱粉などを粘着剤として１５〜４０％、モンモリロナイト、ベントナイトなど粘土質系硬質物５〜１８％、木炭０．５〜２％添加し、これを混練、圧縮成形、乾燥の工程を経て化学物質を排除した環境保全型製法を最大の特徴とする。
【００１２】図１及び２は、有機質ポットスペーサーの側面図である。スペーサーの形状は、上部がラス金網の５０ｍｍの網目と同一の四方形を形成し、大きさが５４〜５６ｍｍとやや大きい。底部は４０〜４２ｍｍ上部より小さい。高さは吹付け層の厚さと同一である。かかる形状は網目への差し込み及び金網に装着し易い構造である。
【００１３】金網の縦線、横線の位置が６〜１０ｍｍの段差のある構造上スペーサーの四箇所の角面に設けた金網装着切込み部位が左右異なる位置にある。切込み部位の幅は４〜６ｍｍ、深さ５〜７ｍｍである。
【００１４】図３及び４は、有機質ポットスペーサーの平面図及び底面図である。スペーサーの中心部位を２８〜３３ｍｍ円筒形に抜取って貫通させ植栽容量を多く確保することができる。ポットの機能性の向上、製品の軽量化、挿し木が安定するスペースが最大限確保される。また、このポット部位に挿し木植栽したヤナギ等の木本類植物体の生育を助長する有機質肥料分がスペーサー自体に保有することから、この肥料分が土中で微量づつ徐々に溶出して、挿し木の初期生育期に有効に吸収利用される。
【００１５】また、例えば図３及び４に示すスペーサーのポット部位に、予め近郊の工事現場から採取した樹木種子を含む郷土の山林土壌、腐葉土を１ポット５０〜１００ｃｃ充填して吹き付けする植栽法により、いわゆる生態系を保全する山林の郷土種再生緑化法を採用することができる。
【００１６】本発明の第２の特徴は、該スペーサーを併用しながら法面全体の植生に効果のある本発明者の改良植生基材である。この改良植生基材は、従来の基材製品に使用している高度化成肥料、フアイバー、粘着剤、土壌改良材に加えて、ＶＡ菌根菌の活動を助長するといわれている良質堆肥、及びミネラル成分を含有するきのこ栽培した菌床廃棄物を堆肥化しこれを８００度Ｃ以上の高温で炭化して生成した特製木炭、土壌活性菌類、ＰＨ調整材及び法面造成工事から採取した篩調整済み現地土壌、腐葉土からなる。さらに望ましくはＶＡ菌根菌、ＥＭ菌を混合投与する。
【００１７】スペーサーをラス金網に装着する方法は、片手でスペーサーを持ち網目に沿って平行に挿入し、右又は左に４５度回転することによって、金網がスペーサーの切込み部位にワンタッチで装着できる仕組みとなっている。
【００１８】このような法面挿し木植栽は、基材吹付け造成直後の土壌環境が植生に大きな影響を与える。木本類植栽植物が施工地近郊に自生する郷土樹種の種子によって林木の再生・創出を目論み、草本、木本類に適応する改良植生基材の製法は、特に植物根の生長を重視した基盤材の開発が望まれる。木炭の効能は多く存在し、施用量はコスト上の問題があるものの望ましくは基材容量比で３〜２０％の混合量が適当である。
【００１９】有機質ポットスペーサーを装着した法面への基材吹付けに際し、植栽した植物体の正常な成長維持のため、挿し木スペーサー自体の過度な乾燥を防止する上で、スペーサー上部が地表に露出しないように留意することが望ましい。
【００２０】有機質ポットスペーサーによる挿し木植栽と改良植生基材を併用する該ｏｐｓ法面緑化工法は、確実な成果を実証することができる。
【００２１】
【発明の効果】以上説明したように、本発明の有機質ポットスペーサーは、急傾斜法面のラス金網スペーサーの役割を果たすほか、法面挿し木植栽工を可能とし、吹付工と同時に施工できる合理的な工法である。また、土中では水分を吸収して崩壊し速やかに土に還り環境にやさしい。素材である堆肥自体に含有する肥料分及び堆肥自体の有機物が植物の生長に好影響を及ぼすほか、法面基盤土壌を改良する効果を奏する。
【００２２】また、道路等の公共工事における痩せた法面土壌の緑化再生に堆肥がスペーサーを介して大量に消費されることにより、低迷する畜産排泄物、生ごみなどの有機性廃棄物の堆肥化の気運が進展する。また、工事等で伐採した立木の小枝を挿し木に再利用するなどこまかな資源の循環利用ではあるが、社会的に大きく貢献することができる。
【００２３】さらに、改良植生基材は、緑化植物の健全な成長を確保することにより、適正な法面保護による防災、郷土種の植栽による生態系保全、自然再生・創出による緑の景観を保持し快適な生活環境をつくることができる。
【図面の簡単な説明】
【図１】本発明の有機質ポットスペーサーを示す右側面図である。
【図２】同左側面図である。
【図３】同平面図である。
【図４】同底面図である。
【図５】同法面のラス金網に装着した斜視図である。
【符号の説明】
１  法面基盤
２  ラス金網
３  有機性ポットスペーサー
４  改良植生基材の吹付層
５  金網装着部位の切込み溝
６  挿し木
７  挿し木植栽ポット部位
【図１】
2004263537.tif 000003
【図２】
2004263537.tif 000004
【図３】
2004263537.tif 000005
【図４】
2004263537.tif 000006
【図５】
2004263537.tif 000007